(57)【要約】【課題】調整時のコスト低減を図ることが可能なＩＣカード処理装置を提供することにある。【解決手段】ＩＣカード処理装置は、キー情報を読み取る読取手段（１０１）と、ＩＣカードに情報を印刷する印刷手段（１０４１）と、ＩＣカードのＩＣチップに情報を書き込む書込手段（１０４２）と、前記印刷手段による印刷及び前記書込手段による書き込みの両方を実行する第１のモード、又は前記印刷手段による印刷を実行する第２のモードのいずれかを選択するモード選択手段（１０２）と、前記読取手段により読み取られたキー情報の正当性を確認し、前記モード選択手段により選択されたモードに基づき、前記印刷手段による印刷及び前記書込手段による書き込みを制御する制御手段（１０３）とを備えている。【選択図】      図１
2006099684.tif 000002
【特許請求の範囲】
【請求項１】
キー情報を読み取る読取手段と、
ＩＣカードに情報を印刷する印刷手段と、
ＩＣカードのＩＣチップに情報を書き込む書込手段と、
前記印刷手段による印刷及び前記書込手段による書き込みの両方の実行する第１のモード、又は前記印刷手段による印刷を実行する第２のモードのいずれかを選択するモード選択手段と、
前記読取手段により読み取られたキー情報の正当性を確認し、前記モード選択手段により選択されたモードに基づき、前記印刷手段による印刷及び前記書込手段による書き込みを制御する制御手段と、
を備えたことを特徴とするＩＣカード処理装置。
【請求項２】
キー情報を読み取る読取手段と、
ＩＣカードに情報を印刷する印刷手段と、
ＩＣカードのＩＣチップに情報を書き込む書込手段と、
前記印刷手段による印刷及び前記書込手段による書き込みの両方を実行する第１のモード、又は前記印刷手段による印刷を実行する第２のモードのいずれかを選択するモード選択手段と、
前記読取手段により読み取られたキー情報の正当性を確認し、正当性が確認されたキー情報の種類と前記モード選択手段により選択されたモードの種類の組み合わせに基づき、選択されたモードの実行の可否を判定し、前記印刷手段による印刷及び前記書込手段による書き込みを制御する制御手段と、
を備えたことを特徴とするＩＣカード処理装置。
【請求項３】
キー情報を読み取る読取手段と、
ＩＣカードに情報を印刷する印刷手段と、
ＩＣカードのＩＣチップに情報を書き込む書込手段と、
前記印刷手段による印刷及び前記書込手段による書き込みの両方を実行する運用モード、又は前記印刷手段による印刷だけを実行する調整モードのいずれかを選択するモード選択手段と、
前記読取手段により読み取られたキー情報が調整用キーに該当し、且つ前記選択手段により選択されたモードが調整モードであることを条件として、前記調整モードを実行し、前記読取手段により読み取られたキー情報が運用キーに該当し、且つ前記選択手段により選択されたモードが運用モードであることを条件として、前記運用モードを実行する、
を備えたことを特徴とするＩＣカード処理装置。
【請求項４】
キー情報を読み取る読取手段と、
ＩＣカードに情報を印刷する印刷手段と、
ＩＣカードのＩＣチップに情報を書き込む書込手段と、
前記印刷手段による印刷及び前記書込手段による書き込みの両方を実行する運用モード、又は前記印刷手段による印刷だけを実行する調整モードのいずれかを選択するモード選択手段と、
前記読取手段により読み取られたキー情報が調整用キーに該当し、且つ前記選択手段により選択されたモードが調整モードであることを条件として、前記調整モードの実行を制御し、前記読取手段により読み取られたキー情報が調整キーに該当し、且つ前記選択手段により選択されたモードが運用モードである、又は前記読取手段により読み取られたキー情報が運用キーに該当し、且つ前記選択手段により選択されたモードが運用モードである、又は前記読取手段により読み取られたキー情報が運用キーに該当し、且つ前記選択手段により選択されたモードが調整モードであることを条件として、前記運用モードの実行を制御する制御手段と、
を備えたことを特徴とするＩＣカード処理装置。
【請求項５】
キー情報を読み取り、
前記読取手段により読み取られたキー情報の正当性を確認し、
正当性が確認されたキー情報の種類と、ＩＣカードへの情報の印刷及びＩＣカードのＩＣチップへの情報の書き込みの両方を実行する第１のモード又はＩＣカードへの情報の印刷を実行する第２のモードのいずれかの選択されたモードの種類との組み合わせに基づき、選択されたモードの実行の可否を判定し、印刷及び書き込みを制御する、
ことを特徴とするＩＣカード処理方法。
【発明の詳細な説明】
【技術分野】
【０００１】
本発明は、ＩＣチップを搭載したＩＣカード（無線ＩＣカード）に対して必要な情報を印刷し、またＩＣチップに必要な情報を書き込み、ＩＣカードを作成するＩＣカード処理装置及びＩＣカード処理方法に関する。
【背景技術】
【０００２】
近年、様々な分野でＩＣカード（無線ＩＣカード）が利用されている。このようなＩＣカードを作成するＩＣカード作成装置に関する各種技術が提案されている（特許文献１参照）。
【０００３】
ＩＣカード作成装置は、ＩＣカード上に必要な情報を印刷し、ＩＣチップに必要な情報を書き込んで、ＩＣカードを作成する。このＩＣカード作成装置は、ＩＣチップに情報を書き込むことなく、ＩＣカード作成処理を完了することはない。
【特許文献１】特開２００４−１０２６１０号公報
【発明の開示】
【発明が解決しようとする課題】
【０００４】
上記したように、ＩＣカード作成において、券面への必要情報の印刷とＩＣチップへの必要情報の書き込みを一体的に行うのは、券面の情報とＩＣチップの情報の不一致を避けるために重要である。
【０００５】
しかしながら、ＩＣカード作成装置の調整時には、ＩＣチップへの情報の書き込み動作が必ずしも必要でないことがある。従来のＩＣカード作成装置は、券面への必要情報の印刷とＩＣチップへの必要情報の書き込みを切り離すことができず、調整時にも高価なＩＣカードを利用するしかなかった。その結果、調整時のコストがかさむという問題が生じている。
【０００６】
本発明の目的は、上記課題を解決するためになされたものであり、調整時のコスト低減を図ることが可能なＩＣカード処理装置及びＩＣカード処理方法を提供することにある。
【課題を解決するための手段】
【０００７】
この発明のＩＣカード処理装置及びＩＣカード処理方法は、以下のように構成されている。
【０００８】
（１）この発明は、キー情報を読み取る読取手段と、ＩＣカードに情報を印刷する印刷手段と、ＩＣカードのＩＣチップに情報を書き込む書込手段と、前記印刷手段による印刷及び前記書込手段による書き込みの両方を実行する第１のモード、又は前記印刷手段による印刷を実行する第２のモードのいずれかを選択するモード選択手段と、前記読取手段により読み取られたキー情報の正当性を確認し、前記モード選択手段により選択されたモードに基づき、前記印刷手段による印刷及び前記書込手段による書き込みを制御する制御手段とを備えたことを特徴とするＩＣカード処理装置である。
【０００９】
（２）この発明は、キー情報を読み取り、前記読取手段により読み取られたキー情報の正当性を確認し、正当性が確認されたキー情報の種類と、ＩＣカードへの情報の印刷及びＩＣカードのＩＣチップへの情報の書き込みの両方を実行する第１のモード又はＩＣカードへの情報の印刷を実行する第２のモードのいずれかの選択されたモードの種類との組み合わせに基づき、選択されたモードの実行の可否を判定し、印刷及び書き込みを制御することを特徴とするＩＣカード処理方法である。
【発明の効果】
【００１０】
本発明によれば、調整時のコスト低減を図ることが可能なＩＣカード処理装置及びＩＣカード処理方法を提供できる。
【発明を実施するための最良の形態】
【００１１】
以下、図面を参照し、本発明の実施形態について説明する。
【００１２】
図１は、本発明の一例のＩＣカード処理装置の概略を説明するための図である。図１に示すように、ＩＣカード処理装置は、キー読取部１０１、制御部１０２、モード切替部１０３、記録部１０４などを備えている。また、記録部１０４は、ＩＣカードの券面に必要な情報（顔画像や文字データ）を印画・印刷・コートする券面印刷部１０４１、及びＩＣカードのＩＣチップに必要な情報を書き込むＩＣ書込部１０４２を備えている。
【００１３】
キー読取装置１０１は、稼動種別情報であるキー情報を読み取り、読み取ったキー情報を制御部１０２に通知する。例えば、キー情報はＩＣカード（接触式ＩＣカード又は非接触式ＩＣカード）に記憶されており、このキー読取装置１０１はこのキー情報が記憶されたＩＣカードを読み取る。つまり、キー読取装置１０１には、ＩＣカードリーダなどが相当する。
【００１４】
キー情報には、調整キーＫ１及び運用キーＫ２がある。調整キーＫ１は、機器調整時等の実運用時以外に用いられるキーである。調整キーＫ１は、調整用という情報をもつ。一方の運用キーＫ２は、実運用時に用いられるキーである。運用キーＫ２は、運用先の情報が記述されており、調整キーＫ１として用いることは出来ない。
【００１５】
モード切替部１０３は、ユーザからのモード（調整モード又は運用モード）の指定（選択）を受け付け、制御部１０２に通知する。例えば、ユーザは、保守・調整時において、このモード切替部１０３に対して、調整モードを指定する。言い換えると、通常、保守・調整時以外は、このモード切替部１０３は利用されない。
【００１６】
制御部１０２は、キー読取部１０１により読み取られたキー情報の正当性を確認し（正規の調整キーＫ１又は正規の運用キーＫ２か否かを確認し）、モード切替部１０３から通知されるモード（調整モード又は運用モード）に基づき、記録部１０４による券面印刷及びＩＣ書き込みを制御する。
【００１７】
図２を参照して、読み取られたキー情報の種類（調整キーＫ１／運用キーＫ２）と、指定（選択）されたモード（調整モード／運用モード）の種類の組み合わせに基づく、券面印刷及びＩＣ書き込みの動作制御を説明する。
【００１８】
ＩＣカード処理装置に対して電源が投入されると（ＳＴ２０１）、キー読取部１０１によるキー読取待ち状態となる。キー読取部１０１によりキー情報が読み取られると、読み取られたキー情報は、制御部１０２へ通知される。制御部１０２は、キー情報の正当性を確認し、キー情報の種類を判別する（ＳＴ２０２）。例えば、調整キーＫ１をＣと定義し、運用キーＫ２をＤと定義する。
【００１９】
制御部１０２によるキー情報の正当性が確認されれば、記録部１０４の券面印刷部１０４１によりＩＣカードに対して必要情報が印刷される（ＳＴ２０４）。制御部１０２は、モード切替部１０３から通知されたモードの指定（選択）を確認する（ＳＴ２０５）。例えば、運用モード（ＩＣ書き込み有り）をＡと定義し、調整モード（ＩＣ書き込み無し）をＢと定義する。
【００２０】
制御部１０２は、キー情報の種類（調整キーＫ１／運用キーＫ２）と、指定（選択）されたモードの種類の組み合わせ（調整モード／運用モード）に基づき、指定（選択）されたモードの実行の可否を判定し、券面印刷部１０４１による券面印刷及びＩＣ書き込み部１０４２によるＩＣ書き込みの動作を制御する。
【００２１】
具体的には、キー情報が調整キーＫ１に該当し、指定されたモードが調整モードであることを条件として（ＢかつＣであることを条件として）（ＳＴ２０６、ＹＥＳ）、調整モードを実行する。つまり、上記した券面印刷部１０４１による券面印刷だけを実行し、ＩＣ書き込み部１０４２によるＩＣ書き込みは実行しない（ＳＴ２０７）。
【００２２】
キー情報が調整キーＫ１に該当し、指定されたモードが運用モードであることを条件として（ＢかつＣでないことを条件として）（ＳＴ２０６、ＮＯ）、運用モードを実行する。つまり、上記した券面印刷部１０４１による券面印刷を実行した上で、さらにＩＣ書き込み部１０４２によるＩＣ書き込みも実行する（ＳＴ２０８）。
【００２３】
キー情報が運用キーＫ２に該当し、指定されたモードが調整モードであることを条件として（ＢかつＣでないことを条件として）（ＳＴ２０６、ＮＯ）、運用モードを実行する。つまり、上記した券面印刷部１０４１による券面印刷を実行した上で、さらにＩＣ書き込み部１０４２によるＩＣ書き込みも実行する（ＳＴ２０８）。
【００２４】
キー情報が運用キーＫ２に該当し、指定されたモードが運用モードであることを条件として（ＢかつＣでないことを条件として）（ＳＴ２０６、ＮＯ）、運用モードを実行する。つまり、上記した券面印刷部１０４１による券面印刷を実行した上で、さらにＩＣ書き込み部１０４２によるＩＣ書き込みも実行する（ＳＴ２０８）。
【００２５】
その後、キー排出要求をチェックし、キー排出要求が無ければ（ＳＴ２０９、ＮＯ）、印刷処理（ＳＴ２０４）へ戻る。キー排出要求が有れば（ＳＴ２０９、ＹＥＳ）再度キーが挿入されるのを待つ（ＳＴ２０２）。
【００２６】
上記以外に、例えば次のように、読み取られたキー情報の種類（調整キーＫ１／運用キーＫ２）と、指定（選択）されたモードの種類（調整モード／運用モード）に基づき、券面印刷及びＩＣ書き込みの動作を制御するようにしてもよい。
【００２７】
キー情報が調整キーＫ１に該当し、指定されたモードが調整モードである場合には、上記と同様に、調整モードを実行する。つまり、上記した券面印刷部１０４１による券面印刷だけを実行し、ＩＣ書き込み部１０４２によるＩＣ書き込みは実行しない。また、キー情報が運用キーＫ２に該当し、指定されたモードが運用モードである場合にも、上記と同様に、運用モードを実行する。つまり、上記した券面印刷部１０４１による券面印刷を実行し、さらにＩＣ書き込み部１０４２によるＩＣ書き込みも実行する。これ以外の組み合わせ、つまり、調整キーＫ１と運用モード、運用キーＫ２と調整モードの場合には、エラーとして動作しない。言い換えると、キー情報の種類と指定されたモードの種類とが一致した場合に限り、指定されたモードを実行し、キー情報の種類と指定されたモードの種類とが一致しない場合は、券面印刷もＩＣ書き込みも行わない。
【００２８】
以上により、保守・調整時においては、モード切替部１０３を介して調整モードを選択し、キー読取部１０１に対して調整キーＫ１を読み取らせることにより、券面印刷だけが実行され、各種情報を行うことができる。よって、保守・調整時においては、コストの高い無線ＩＣカードを用いることなく、ＩＣ書き込み部以外の機器の調整が可能になる。
【００２９】
保守・調整終了後（或いは実運用時に）、モード切替部１０３を介して運用モードへ戻される。万一、運用モードへの戻し忘れが生じても、運用時に利用される運用キーＫ２の情報がキー読取部１０１から制御部１０２へ通知されると、制御部１０２の制御によりモード切替装置１０２の設定に関わらず、券面印刷に加えてＩＣ書き込みが実行される。或いは、キー情報とモードが一致しない場合は、エラーとして動作しない。よって、実運用時に、券面印刷だけがなされて、ＩＣ書き込みがなされていないＩＣカード（券面印刷とＩＣ書き込み情報が一致しないＩＣカード）が作成されるのを防止することができる。
【００３０】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３１】
【図１】本発明の一例のＩＣカード処理装置の概略を説明するための図である。
【図２】読み取られたキー情報の種類（調整キーＫ１／運用キーＫ２）と指定（選択）されたモード（調整モード／運用モード）の種類の組み合わせに基づく、券面印刷及びＩＣ書き込みの動作制御を説明するためのフローチャートである。
【符号の説明】
【００３２】
１０１…キー読取部、１０２…制御部、１０３…モード切替部、１０４…記録部、１０４１…券面印刷部、１０４２…ＩＣ書込部
【図１】
2006099684.tif 000003
【図２】
2006099684.tif 000004